【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
複数の画像を用いて生成された合成画像を表示部に表示する第１の表示制御手段と、
出力指示をユーザから受け付ける第１の受付手段と、
前記出力指示を受け付けたことに応答して、前記表示部に表示中の合成画像か当該合成画像に用いられている前記複数の画像のうちのいずれかを出力対象画像として選択可能な選択画面を前記表示部に表示する第２の表示制御手段と、
前記選択画面においてユーザが前記出力対象画像として選択した画像を出力する出力手段と、
を備えることを特徴とする画像処理装置。
【請求項２】
前記第１の表示制御手段は、表示する合成画像を、あらかじめ定められた時間が経過する毎に変更することを特徴とする請求項１に記載の画像処理装置。
【請求項３】
記憶部から画像を読み出して前記合成画像を生成する生成手段と、
前記複数の画像の数を選択する指示を受け付ける第２の受付手段と、
をさらに備え、
前記生成手段は、前記第２の受付手段により受け付けた数の画像を前記記憶部から読み出して前記合成画像を生成することを特徴とする請求項１又は２に記載の画像処理装置。
【請求項４】
前記選択画面において、前記合成画像は前記複数の画像それぞれよりも大きなサイズで表示されることを特徴とする請求項１乃至３のいずれか１項に記載の画像処理装置。
【請求項５】
前記選択画面において、前記合成画像及び前記複数の画像それぞれは等しいサイズで表示されることを特徴とする請求項１乃至３のいずれか１項に記載の画像処理装置。
【請求項６】
画像を表示部に表示する第１の表示制御手段と、
複数の画像を用いて合成画像を生成する生成手段と、
出力指示をユーザから受け付ける第１の受付手段と、
前記出力指示を受け付けたことに応答して、前記出力指示を受け付けた時点において前記表示部に表示されていた画像それぞれと、前記出力指示を受け付けた時点において複数の画像が前記表示部に表示されていた場合には、さらに前記複数の画像から前記生成手段が生成した合成画像とを、出力対象画像として選択可能な選択画面を前記表示部に表示する第２の表示制御手段と、
前記選択画面においてユーザが前記出力対象画像として選択した画像を出力する出力手段と、
を備えることを特徴とする画像処理装置。
【請求項７】
前記第１の表示制御手段が前記表示部に同時に表示する画像の最大数を選択する指示を受け付ける第２の受付手段をさらに備え、
前記第１の表示制御手段は、あらかじめ定められた時間が経過すると、前記表示部に表示している前記画像の数が前記最大数に達していない場合は１つの画像を追加して前記表示部に表示し、前記表示部に表示している前記画像の数が前記最大数に達した場合は、前記１つの画像のみを前記表示部に表示することを特徴とする請求項６に記載の画像処理装置。
【請求項８】
前記選択画面において、前記合成画像は前記出力指示を受け付けた時点において前記表示部に表示されていた画像それぞれよりも大きなサイズで表示されることを特徴とする請求項６又は７に記載の画像処理装置。
【請求項９】
前記選択画面において、前記合成画像及び前記出力指示を受け付けた時点において前記表示部に表示されていた画像は等しいサイズで表示されることを特徴とする請求項６又は７に記載の画像処理装置。
【請求項１０】
少なくとも１つの画像を含むドキュメントを表示部に表示する第１の表示制御手段と、
出力指示をユーザから受け付ける第１の受付手段と、
前記出力指示を受け付けたことに応答して、前記表示部に表示中のドキュメントと、当該ドキュメントに含まれている前記少なくとも１つの画像の各々を、出力対象画像又は出力対象ドキュメントとして選択可能な選択画面を前記表示部に表示する第２の表示制御手段と、
前記選択画面においてユーザが前記出力対象画像又は前記出力対象ドキュメントとして選択した画像又はドキュメントを出力する出力手段と、
を備えることを特徴とする画像処理装置。
【請求項１１】
前記選択画面において、前記ドキュメントは前記少なくとも１つの画像それぞれよりも大きなサイズで表示されることを特徴とする請求項１０に記載の画像処理装置。
【請求項１２】
前記選択画面において、前記ドキュメント及び前記少なくとも１つの画像それぞれは等しいサイズで表示されることを特徴とする請求項１０に記載の画像処理装置。
【請求項１３】
複数の画像を用いて生成された合成画像を表示部に表示する第１の表示制御工程と、
出力指示をユーザから受け付ける第１の受付工程と、
前記出力指示を受け付けたことに応答して、前記表示部に表示中の合成画像か当該合成画像に用いられている前記複数の画像のうちのいずれかを出力対象画像として選択可能な選択画面を前記表示部に表示する第２の表示制御工程と、
前記選択画面においてユーザが前記出力対象画像として選択した画像を出力する出力工程と、
を備えることを特徴とする画像処理方法。
【請求項１４】
画像を表示部に表示する第１の表示制御工程と、
複数の画像を用いて合成画像を生成する生成工程と、
出力指示をユーザから受け付ける第１の受付工程と、
前記出力指示を受け付けたことに応答して、前記出力指示を受け付けた時点において前記表示部に表示されていた画像それぞれと、前記出力指示を受け付けた時点において複数の画像が前記表示部に表示されていた場合には、さらに前記複数の画像から前記生成工程において生成された合成画像とを、出力対象画像として選択可能な選択画面を前記表示部に表示する第２の表示制御工程と、
前記選択画面においてユーザが前記出力対象画像として選択した画像を出力する出力工程と、
を備えることを特徴とする画像処理方法。
【請求項１５】
少なくとも１つの画像を含むドキュメントを表示部に表示する第１の表示制御工程と、
出力指示をユーザから受け付ける第１の受付工程と、
前記出力指示を受け付けたことに応答して、前記表示部に表示中のドキュメントと、当該ドキュメントに含まれている前記少なくとも１つの画像の各々を、出力対象画像又は出力対象ドキュメントとして選択可能な選択画面を前記表示部に表示する第２の表示制御工程と、
前記選択画面においてユーザが前記出力対象画像又は前記出力対象ドキュメントとして選択した画像又はドキュメントを出力する出力工程と、
を備えることを特徴とする画像処理方法。
【請求項１６】
複数の画像を用いて生成された合成画像を表示部に表示する第１の表示制御工程と、
出力指示をユーザから受け付ける第１の受付工程と、
前記出力指示を受け付けたことに応答して、前記表示部に表示中の合成画像か当該合成画像に用いられている前記複数の画像のうちのいずれかを出力対象画像として選択可能な選択画面を前記表示部に表示する第２の表示制御工程と、
前記選択画面においてユーザが前記出力対象画像として選択した画像を出力する出力工程と、
をコンピュータに実行させるためのプログラム。
【請求項１７】
画像を表示部に表示する第１の表示制御工程と、
複数の画像を用いて合成画像を生成する生成工程と、
出力指示をユーザから受け付ける第１の受付工程と、
前記出力指示を受け付けたことに応答して、前記出力指示を受け付けた時点において前記表示部に表示されていた画像それぞれと、前記出力指示を受け付けた時点において複数の画像が前記表示部に表示されていた場合には、さらに前記複数の画像から前記生成工程において生成された合成画像とを、出力対象画像として選択可能な選択画面を前記表示部に表示する第２の表示制御工程と、
前記選択画面においてユーザが前記出力対象画像として選択した画像を出力する出力工程と、
をコンピュータに実行させるためのプログラム。
【請求項１８】
少なくとも１つの画像を含むドキュメントを表示部に表示する第１の表示制御工程と、
出力指示をユーザから受け付ける第１の受付工程と、
前記出力指示を受け付けたことに応答して、前記表示部に表示中のドキュメントと、当該ドキュメントに含まれている前記少なくとも１つの画像の各々を、出力対象画像又は出力対象ドキュメントとして選択可能な選択画面を前記表示部に表示する第２の表示制御工程と、
前記選択画面においてユーザが前記出力対象画像又は前記出力対象ドキュメントとして選択した画像又はドキュメントを出力する出力工程と、
をコンピュータに実行させるためのプログラム。
【請求項１９】
請求項１６乃至１８のいずれか１項に記載のプログラムを記録したコンピュータ読み取り可能な記憶媒体。
【手続補正２】
【補正対象書類名】明細書
【補正対象項目名】０００８
【補正方法】変更
【補正の内容】
【０００８】
上記課題を解決するために、本発明は、以下の特徴を備える画像処理装置を提供する。すなわち、
複数の画像を用いて生成された合成画像を表示部に表示する第１の表示制御手段と、
出力指示をユーザから受け付ける第１の受付手段と、
前記出力指示を受け付けたことに応答して、前記表示部に表示中の合成画像か当該合成画像に用いられている前記複数の画像のうちのいずれかを出力対象画像として選択可能な選択画面を前記表示部に表示する第２の表示制御手段と、
前記選択画面においてユーザが前記出力対象画像として選択した画像を出力する出力手段と、
を備えることを特徴とする画像処理装置。
【手続補正３】
【補正対象書類名】明細書
【補正対象項目名】０００９
【補正方法】変更
【補正の内容】
【０００９】
また、本発明は、以下の特徴を備える他の画像処理装置を提供する。すなわち、
画像を表示部に表示する第１の表示制御手段と、
複数の画像を用いて合成画像を生成する生成手段と、
出力指示をユーザから受け付ける第１の受付手段と、
前記出力指示を受け付けたことに応答して、前記出力指示を受け付けた時点において前記表示部に表示されていた画像それぞれと、前記出力指示を受け付けた時点において複数の画像が前記表示部に表示されていた場合には、さらに前記複数の画像から前記生成手段が生成した合成画像とを、出力対象画像として選択可能な選択画面を前記表示部に表示する第２の表示制御手段と、
前記選択画面においてユーザが前記出力対象画像として選択した画像を出力する出力手段と、
を備えることを特徴とする画像処理装置。
【手続補正４】
【補正対象書類名】明細書
【補正対象項目名】００１０
【補正方法】変更
【補正の内容】
【００１０】
また、本発明は、以下の特徴を備える他の画像処理装置を提供する。すなわち、
少なくとも１つの画像を含むドキュメントを表示部に表示する第１の表示制御手段と、
出力指示をユーザから受け付ける第１の受付手段と、
前記出力指示を受け付けたことに応答して、前記表示部に表示中のドキュメントと、当該ドキュメントに含まれている前記少なくとも１つの画像の各々を、出力対象画像又は出力対象ドキュメントとして選択可能な選択画面を前記表示部に表示する第２の表示制御手段と、
前記選択画面においてユーザが前記出力対象画像又は前記出力対象ドキュメントとして選択した画像又はドキュメントを出力する出力手段と、
を備えることを特徴とする画像処理装置。